(57)【要約】【課題】  撮像素子に付着した異物の位置を容易に把握可能な画像を取得できるカメラシステムを提供する。【解決手段】  カメラシステムは、撮像素子と、画像処理手段と、表示手段と、を備えることを特徴とする。撮像素子は、筐体前面からの光束を受光して画像信号を生成する。画像処理手段は画像信号による画像の上下を反転した反転画像を生成する。表示手段は、筐体背面に設けられ、反転画像を表示する。【選択図】  図１
2007135060.tif 000002
【特許請求の範囲】
【請求項１】
筐体前面からの光束を受光して画像信号を生成する撮像素子と、
前記画像信号による画像の上下を反転した反転画像を生成する画像処理手段と、
前記筐体背面に設けられ、前記反転画像を表示する表示手段と、
を備えたことを特徴とするカメラシステム。
【請求項２】
前記画像処理手段は、撮影光路上に配置された撮影光学系による倒立逆像の上下左右を反転して撮影画像を生成することを特徴とする請求項１に記載のカメラシステム。
【請求項３】
前記撮像素子の受光面を照明可能な照明光源をさらに備えることを特徴とする請求項１または請求項２に記載のカメラシステム。
【請求項４】
前記画像処理手段は、前記撮像素子の受光面に付着した異物を検出するとともに、前記反転画像において前記異物の位置を表示することを特徴とする請求項１から請求項３のいずれか１項に記載のカメラシステム。
【請求項５】
前記反転画像のデータを外部装置に出力する出力手段および前記反転画像のデータを記録するための記録手段の少なくともいずれかをさらに備えることを特徴とする請求項１から請求項４のいずれか１項に記載のカメラシステム。
【請求項６】
前記反転画像が、前記筐体前面から前記撮像素子の受光面を目視した状態を示す第１表示と、撮影光学系のマウント部の外形を示す第２表示とを含むことを特徴とする請求項１から請求項５のいずれか１項に記載のカメラシステム。
【発明の詳細な説明】
【技術分野】
【０００１】
本発明は、撮像素子に付着した異物を検出可能なカメラシステムに関する。
【背景技術】
【０００２】
従来から、撮像素子に付着した塵、ゴミなどの異物を検出可能な電子カメラが公知である。例えば、特許文献１には、カメラ内のＬＥＤを照明光源として撮像素子に付着した異物の位置を検出できる電子カメラの構成が開示されている。
【特許文献１】特開２００２−３７４４４５号公報
【発明の開示】
【発明が解決しようとする課題】
【０００３】
しかし、上記特許文献１の電子カメラでは、以下の観点からさらなる改善が要請されていた。
一般的な電子カメラでは、撮像素子の受光面には撮影レンズによって倒立逆像の被写体像が結像する。そのため、電子カメラの画像処理プロセスは、受光面での被写体像の上下左右を変換して画像データを生成するように設計されている。したがって、撮影レンズを介して撮影された電子カメラの撮影画像は、実際の被写体と上下左右の位置関係が一致するようになっている。
【０００４】
一方、上記特許文献１の構成では、撮像素子に付着した異物の画像は撮影レンズを介することなく撮影されるため、撮影画像に現れる異物の位置と受光面での実際の異物の位置との不一致が生じる。したがって、上記特許文献１の技術では、作業者にとって撮像素子に付着した異物の位置が撮影画像から直感的に分かりにくく、撮像素子の異物除去作業が非常に煩雑となる点が指摘されていた。
【０００５】
本発明は上記従来技術の課題を解決するためのものであって、その目的は、撮像素子に付着した異物の位置を容易に把握可能な画像を取得できるカメラシステムを提供することである。
【課題を解決するための手段】
【０００６】
第１の発明のカメラシステムは、撮像素子と、画像処理手段と、表示手段と、を備えることを特徴とする。撮像素子は、筐体前面からの光束を受光して画像信号を生成する。画像処理手段は画像信号による画像の上下を反転した反転画像を生成する。表示手段は、筐体背面に設けられ、反転画像を表示する。
第２の発明は、第１の発明において、画像処理手段は、撮影光路上に配置された撮影光学系による倒立逆像の上下左右を反転して撮影画像を生成することを特徴とする。
【０００７】
第３の発明は、第１または第２の発明において、撮像素子の受光面を照明可能な照明光源をさらに備えることを特徴とする。
第４の発明は、第１から第３のいずれかの発明において、画像処理手段は、撮像素子の受光面に付着した異物を検出するとともに、反転画像において異物の位置を表示することを特徴とする。
【０００８】
第５の発明は、第１から第４のいずれかの発明において、反転画像のデータを外部装置に出力する出力手段および反転画像のデータを記録するための記録手段の少なくともいずれかをさらに備えることを特徴とする。
第６の発明は、第１から第５のいずれかの発明において、反転画像が、筐体前面から撮像素子の受光面を目視した状態を示す第１表示と、撮影光学系のマウント部の外形を示す第２表示とを含むことを特徴とする。
【発明の効果】
【０００９】
本発明のカメラシステムによれば、画像処理手段の生成する反転画像によって撮像素子に付着した異物の位置を容易に把握できる。
【発明を実施するための最良の形態】
【００１０】
以下、レンズ交換可能な一眼レフレックス型の電子カメラの例によって、本発明のカメラシステムを説明する。
図１は本実施形態の電子カメラシステムの撮影機構を示す概要図である。本実施形態の電子カメラシステムは、カメラ本体１１と、レンズユニット群とを有している。上記のレンズユニット群には、撮影光学系を収容したレンズユニット１２と、異物検出アダプタ１３とが含まれる。なお、レンズユニット１２および異物検出アダプタ１３の構成は後述する。
【００１１】
カメラ本体１１は、筐体１４と、メインミラー１５と、シャッタ１６と、撮像素子１７と、ファインダ光学系と有している。筐体１４には撮影機構および電子部品が内蔵される。筐体１４の正面側（図１の左側）には本体側マウント１８を備えた開口部が形成されている。この開口部は上記のレンズユニット群が交換可能に装着される。なお、本体側マウント１８には電気接点が設けられている。
【００１２】
メインミラー１５、シャッタ１６および撮像素子１７は開口部の中心軸に沿って配置されている。また、カメラ本体１１の上部領域にはファインダ光学系が配置される。
メインミラー１５は、不図示の回動軸によって回動可能に軸支されており、観察状態と退避状態とを切り替え可能となっている。観察状態のメインミラー１５は、シャッタ１６および撮像素子１７の前方で傾斜配置される。この観察位置でのメインミラー１５は、開口部を通過した被写界の光束を上方へ反射してファインダ光学系に導く。
【００１３】
一方、退避状態のメインミラー１５は、上方に跳ね上げられて撮影光路から外れた位置にある。メインミラー１５が退避状態にあるときは、開口部からの光束がシャッタ１６および撮像素子１７に導かれることとなる。なお、退避状態のメインミラー１５は、フォインダ光学系から入射する外部の光束を遮光する役割も果たす。
ファインダ光学系は、拡散スクリーン１９と、コンデンサレンズ２０と、ペンタプリズム２１と、接眼レンズ２２とを有している。拡散スクリーン１９はメインミラー１５の上方に位置し、観察状態のメインミラー１５で反射された光束を一旦結像させる。拡散スクリーン１９上で結像した光束はコンデンサレンズ２０およびペンタプリズム２１を通過し、ペンタプリズム２１の入射面に対して９０°偏向した射出面から接眼レンズ２２に導かれる。そのため、メインミラー１５が観察状態にあるときには、筐体１４の開口部からの光束が接眼レンズ２２を介してユーザーの目に到達することとなる。
【００１４】
一方、レンズユニット群を構成する各ユニット（１２，１３）は、本体側マウント１８と雄雌の関係をなすレンズ側マウント２３をそれぞれ有している。そのため、レンズユニット１２および異物検出アダプタ１３は、本体側マウント１８およびレンズ側マウント２３の結合によってカメラ本体１１と接続される。また、レンズ側マウント２３にはそれぞれ本体側マウント１８に対応する電気接点が設けられている。そして、各ユニット（１２，１３）をカメラ本体１１へ装着したときには、本体側マウント１８およびレンズ側マウント２３間で電気接点の接続が確立する。
【００１５】
図１（ａ）は、カメラ本体１１にレンズユニット１２を装着した状態を示す図である。レンズユニット１２は、上記のレンズ側マウント２３と、撮影レンズ２４と、レンズ駆動部２５およびレンズマイコン２６と、これらを収容する鏡筒２７を有している。撮影レンズ２４は、レンズ駆動部２５によって光軸方向に駆動する。また、レンズマイコン２６は、カメラ本体１１からの入力に基づいてレンズ駆動部２５を制御するとともに、レンズユニット１２に関する各種データをカメラ本体１１に出力する。なお、レンズユニット１２の装着時には、カメラ本体１１への入射光束の結像は撮影レンズ２４によって倒立逆像に変換されることとなる。
【００１６】
図１（ｂ）は、カメラ本体１１に異物検出アダプタ１３を装着した状態を示す図である。異物検出アダプタ１３は、上記のレンズ側マウント２３と、アダプタ本体２８と、ＬＥＤ２９およびＬＥＤドライバ３０と、レンズマイコン３１とを有している。
アダプタ本体２８は、カメラ本体１１の開口部を遮蔽可能な蓋体である。アダプタ本体２８の内面側（カメラ本体１１の内部空間と面する側）にはＬＥＤ２９が配置されている。また、レンズマイコン３１は、カメラ本体１１からの入力に応じてＬＥＤドライバ３０を介してＬＥＤ２９を発光させるとともに、異物検出アダプタ１３が接続されている旨の接続信号をカメラ本体１１に出力する。
【００１７】
そして、異物検出アダプタ１３をカメラ本体１１に装着した状態では、開口部から筐体１４内への入射光束はアダプタ本体２８で遮断される一方で、ＬＥＤ２９の発光時には筐体１４内で撮像素子１７の受光面が照明される。このとき、撮像素子１７の受光面の表面に異物（塵、ゴミ等）が付着している場合、撮像素子１７の受光面には異物の陰影が投影されることとなる。
【００１８】
図２は本実施形態のカメラ本体１１のブロック図である。カメラ本体１１は、上記の撮像素子１７に加えて、Ａ／Ｄ変換部３２と、内部メモリ３３と、画像処理部３４と、カードＩ／Ｆ３５と、通信Ｉ／Ｆ３６と、モニタ３７と、操作部材３８と、ＣＰＵ３９およびデータバス４０とを有している。なお、内部メモリ３３、画像処理部３４、カードＩ／Ｆ３５、通信Ｉ／Ｆ３６、モニタ３７およびＣＰＵ３９はデータバス４０に接続されている。
【００１９】
撮像素子１７の受光面には受光素子が２次元配列されている。撮像素子１７は受光面の結像を光電変換してアナログ画像信号を生成する。なお、撮像素子１７の受光面には、受光素子の前方に光学的ローパスフィルタ（ＯＬＰＦ）、赤外カットフィルタ等が配置されている。なお、本実施形態では、受光面の表面側にＯＬＰＦが配置されている例を説明する。
【００２０】
Ａ／Ｄ変換部３２は、撮像素子１７のアナログ画像信号をデジタル画像信号に変換する。内部メモリ３３は、画像処理部３４での画像処理の前工程および後工程でのデータを一時的に保存する。なお、内部メモリ３３には、撮影画像データおよび反転画像データ（それぞれ後述する）を記録保持するための記録領域を設けてもよい。
画像処理部３４は、デジタル画像信号に所定の画像処理（欠陥画素補正、ガンマ補正、補間、色変換、エッジ強調などの処理）を施して画像データを生成する。また、画像処理部３４では画像データの圧縮伸長処理なども実行する。
【００２１】
さらに、画像処理部３４は、通常撮影モードおよび異物検出モードでそれぞれ異なる画像データを生成する。上記の通常撮影モードはレンズユニット１２の装着を前提とし、撮影レンズ２４を介して被写体を撮影する撮影モードである。この通常撮影モードでは、画像処理部３４は撮影レンズ２４による倒立逆像の上下左右を反転させた撮影画像データを生成する。
【００２２】
一方、上記の異物検出モードは異物検出アダプタ１３の装着を前提とし、撮像素子１７の受光面表面における異物を検出するための撮影モードである。この異物検出モードでは、画像処理部３４は異物の陰影を撮影した反転画像データを生成する。この反転画像データの反転画像は、通常撮影モードでの撮影画像と上下が反転する位置関係にある。さらに、画像処理部３４は、異物検出モードにおいて後述の異物検出処理を実行する。
【００２３】
カードＩ／Ｆ３５には、記録媒体４１を接続するためのコネクタが形成されている。記録媒体４１は公知の半導体メモリなどで構成される。そして、カードＩ／Ｆ３５は、記録媒体４１に対する撮影画像データの書き込み／読み込みを制御する。
通信Ｉ／Ｆ３６には外部接続端子が形成されている。そして、通信Ｉ／Ｆ３６は、外部接続端子を介して接続されたコンピュータ（不図示）とのデータ送受信をＵＳＢ（Universal Serial Bus）やＩＥＥＥ１３９４などのシリアル通信規格に準拠して制御する。なお、通信Ｉ／Ｆ３６は、公知の無線通信規格（例えば、ＩＥＥＥ８０２．１１ａ／ｂ／ｇやＩｒＤＡなど）に準拠した無線通信手段でコンピュータ等とのデータ送受信を実行する構成であってもよい。
【００２４】
モニタ３７はカメラ本体１１の背面部分に配置される。このモニタ３７には、撮影画像データおよび反転画像データの再生画像や、電子カメラの各種設定を変更するための設定画面（例えば、異物検出モードでのメニュー画面）などが表示される。
操作部材３８は、入力釦やレリーズ釦などを備えている。操作部材３８の入力釦は、例えば、電子カメラのモード切り替え入力などを受け付ける。この切り替え入力には、通常撮影モードおよび異物検出モードの手動切り替えも含まれる。また、操作部材３８のレリーズ釦は、半押しによるＡＦ動作の指示入力と、全押しによるレリーズ入力とを受け付ける。
【００２５】
ＣＰＵ３９は、所定のシーケンスプログラムに従って通常撮影モードまたは異物検出モードでの各部動作を制御する。具体的には、ＣＰＵ３９はメインミラー１５およびシャッタ１６等の駆動制御や、撮影時の画像処理プロセスの制御などを実行する。また、ＣＰＵ３９は、本体側マウント１８およびレンズ側マウント２３の電気接点を介してレンズマイコン２６，３１と通信し、レンズユニット１２または異物検出アダプタ１３の動作を制御する。
【００２６】
次に、本実施形態における異物検出モードでの動作を、図３の流れ図を参照しつつ説明する。
ステップ１０１：まず、ユーザーはカメラ本体１１に異物検出アダプタ１３を装着する。
ステップ１０２：次に、ユーザーはカメラ本体１１の電源を投入する。このとき、ＣＰＵ３９とレンズマイコン３１との間で通信が実行され、ＣＰＵ３９にはレンズマイコン３１から接続信号が入力される。そして、ＣＰＵ３９は、接続信号の入力に応じて異物検出モードのシーケンスプログラムを立ち上げる。
【００２７】
ステップ１０３：ＣＰＵ３９は、電子カメラの撮影条件を異物検出モードに適した設定に変更する。例えば、ＣＰＵ３９は以下の設定変更を実行する。
（１）ＣＰＵ３９はＩＳＯ感度に相当する画像信号のゲイン値を所定値に変更する。
（２）ＣＰＵ３９はＡＦモードをマニュアルに設定する。異物検出モードでは必要のないＡＦ動作の実行指示による無駄な電力消費を防止するためである。
【００２８】
（３）ＣＰＵ３９は撮影設定をシングルレリーズに設定する。異物検出モードでは一般的に１回のレリーズで目的を達成できるからである。
（４）ＣＰＵ３９は閃光発光部（不図示）の発光を禁止する。異物検出モードでは必要のないフラッシュ発光による無駄な電力消費を防止するためである。
ステップ１０４：ＣＰＵ３９はモニタ３７にメニュー画面（図４参照）を表示する。なお、以下のメニュー画面での各種表示処理などは、いずれもＣＰＵ３９がシーケンスプログラムに基づいて実行する。
【００２９】
このメニュー画面では、「実行」、「カスタム設定」の項目が表示される。ユーザーは図中太線で示す選択枠を操作部材３８で操作することで、上記項目の指定入力を行うことができる。「実行」の指定時には異物検出モードの撮影動作が開始される。また、「カスタム設定」の指定時には、ユーザは異物検出モードの各種設定（例えば、ＩＳＯ感度の再変更や反転画像の表示態様など）を変更することができる。
【００３０】
ステップ１０５：ＣＰＵ３９は「実行」の指定入力（Ｓ１０４）があるか否かを判定する。上記の指定入力がある場合（ＹＥＳ側）にはＳ１０６に移行する。一方、上記の指定入力のない場合（ＮＯ側）にはＳ１０４に戻る。
ステップ１０６：ＣＰＵ３９は、異物検出アダプタ１３のＬＥＤ２９を予備発光させて露光条件を取得する。このＳ１０６の動作によってシャッタ１６のシャッタスピードなどが決定される。なお、Ｓ１０６では、撮像素子１７でＬＥＤ２９の光量を測定するようにしてもよい。
【００３１】
ステップ１０７：ＣＰＵ３９は撮像素子１７の受光面表面にある異物の陰影を撮影する。具体的には、Ｓ１０７の撮影は以下の手順で行われる。第１にＣＰＵ３９はメインミラー１５を退避状態にするとともに、異物検出アダプタ１３のＬＥＤ２９を本発光させる。第２に、ＣＰＵ３９はシャッタ１６の先幕を走行させて、撮像素子１７の電荷蓄積を開始する。第３に、ＣＰＵ３９は所定時間経過後にシャッタ１６の後幕を走行させて撮影を終了する。その後に、ＣＰＵ３９はＬＥＤ２９の発光を停止させる。なお、撮像素子１７の画像信号による画像データは、Ａ／Ｄ変換部３２を介して内部メモリ３３に一時的に保存される。
【００３２】
ステップ１０８：ＣＰＵ３９は画像処理部３４に対して反転画像データの生成を指示する。まず、画像処理部３４は、画像データ（Ｓ１０７）に対して、画像中の異物の陰影を検出する処理（異物検出処理）を施す。この異物検出処理は、例えば以下の工程で行われる。
（１）第１に、画像処理部３４は画像データにおける全画素分の輝度平均値を演算する。
【００３３】
（２）第２に、画像処理部３４は、所定の画素ブロック（例えば５×５画素程度）による小領域の輝度平均値を演算する。次に、画像処理部３４は、全画素分の輝度平均値と小領域の輝度平均値との差を求める。そして、画像処理部３４は、上記の輝度平均値の差が閾値以上であるか否かを判定する。輝度値の差が閾値以上の小領域はコントラストが高いので異物の陰影があると判定できる。
【００３４】
（３）画像処理部３４は、小領域を順次移動させつつ上記（２）の工程を繰り返す。これにより、画像処理部３４は画像全域で異物の陰影を検索する。なお、画像処理部３４は、異物の陰影があると判定された小領域が連続する場合には、連続する小領域群を１つの異物の陰影と判定し、その異物の大きさも検出する。
ステップ１０９：画像処理部３４は、異物検出処理後の画像データ（Ｓ１０８）に対して、通常撮影モードの撮影画像の場合と上下が反転するように、画像の位置関係を変換する。
【００３５】
以下、本実施形態において撮影画像および反転画像でそれぞれ位置関係を変換する理由を、図５、図６を参照しつつ説明する。図５は、通常撮影モードにおいて、撮影レンズ２４を介して被写体を撮影する状態を示す模式図である。通常撮影モードでは、撮像素子１７の受光面には撮影レンズ２４によって上下左右が反転した倒立逆像が結像する。
ここで、図６（ａ）のように、撮像素子１７の受光面の表面左上に異物が付着している場合を考える。この場合、上記の異物の陰影は、撮像素子１７の前面にあるＯＬＰＦを透過して撮像素子１７の受光面に投影される。したがって、撮像素子１７の受光面は、異物の付着したＯＬＰＦを裏側から透かしてみる状態となる。
【００３６】
すなわち、撮像素子１７の受光面での結像をそのまま撮影画像とすると、被写体は上下左右が反転した倒立逆像となる一方で、異物の陰影は裏表の反転によって画像の右上に位置することとなる（図５（ｂ）参照）。そのため、通常撮影モードでは、画像処理部３４は倒立逆像の上下左右を反転させて撮影画像を生成する。これにより、撮影画像の被写体と実際の被写体とで上下左右が一致するようになる（図５（ｃ）参照）。
【００３７】
ところで、図５（ｃ）の撮影画像では、異物の陰影の位置は左下に変換されることとなる。したがって、上記の撮影画像によると、受光面を正面から見た場合と異物の位置関係が上下逆になる。そのため、異物検出モードでは、画像処理部３４は撮影画像の場合と上下を反転させて反転画像を生成する。これにより、反転画像での異物の陰影の位置と、受光面を正面から見た状態の異物の位置とが一致するようになる（図５（ｄ）参照）。
【００３８】
ステップ１１０：画像処理部３４は、反転画像データに対して、画像中での異物の強調処理を実行する。例えば、画像処理部３４は、小領域での輝度値の差（Ｓ１０８（２））に応じて、異物の陰影を異なる色表示または階調表示に変換する（図７参照）。あるいは、画像処理部３４は、異物の陰影の大きさ等に応じて異物の陰影を点滅表示するように設定してもよい（図示を省略する）。なお、画像処理部３４は、メニュー画面の「カスタム設定」（Ｓ１０４）に応じて、Ｓ１１０での強調処理を省略することがある。
【００３９】
ステップ１１１：画像処理部３４は、さらに反転画像に本体側マウント１８の外形を示す画像を付加して最終的な反転画像データを生成する。Ｓ１１１での反転画像は、筐体１４の前面からみた撮像素子１７の異物の位置および大きさを示す第１表示と、本体側マウント１８の外形を示す第２表示とを有している（図７参照）。これにより、撮像素子１７の受光面における異物の位置がより把握しやすくなる。また、第２表示には、バヨネットマウントの着脱位置の指標やマウントの電気接点の位置などを表示して、異物の位置関係をより明確にするようにしてもよい（いずれも図示を省略する）。なお、画像処理部３４は、メニュー画面の「カスタム設定」（Ｓ１０４）に応じて、Ｓ１１１の第２表示の付加処理も省略することがある。
【００４０】
ステップ１１２：ＣＰＵ３９は反転画像をモニタ３７に表示する。ユーザーはモニタ３７の反転画像を参照しつつ、撮像素子１７の受光面から異物を除去することができる。以上で本実施形態の異物検出モードでの一連の動作説明を終了する。
ここで、ＣＰＵ３９はメニュー画面の「カスタム設定」（Ｓ１０４）に応じて、反転画像データを内部メモリ３３や記録媒体４１に記録してもよい。また、ＣＰＵ３９は通信Ｉ／Ｆ３６を介して外部のコンピュータ等に反転画像データを出力してもよい。この場合には、ユーザーはコンピュータのモニタに反転画像を表示しつつ、カメラ本体１１の撮像素子１７から異物を除去することができる。
【００４１】
以下、本実施形態の電子カメラシステムの効果を説明する。本実施形態の異物検出モードでは、カメラ本体１１の正面から撮像素子１７を目視した状態の異物の位置と、反転画像の異物の位置とが一致する。そのため、ユーザーは、受光面の異物の位置が容易に把握できる反転画像を用いて、撮像素子１７の清掃を効率的に行うことが可能となる。特に、反転画像において本体側マウント１８の外形を表示する場合には、より受光面の異物の位置関係を容易に把握できるようになる。
【００４２】
（実施形態の補足事項）
以上、本発明を上記の実施形態によって説明してきたが、本発明の技術的範囲は上記実施形態に限定されるものではなく、例えば以下のような形態であってもよい。
（１）上記実施形態ではレンズ交換可能な電子カメラシステムの例を説明したが、本発明の技術的範囲は上記構成に限定されるものではない。例えば、本発明のカメラシステムは、コンパクトタイプの電子カメラの検査工程において、撮像素子表面の異物を検出する場合などにも応用できる。
【００４３】
（２）上記実施形態では、異物検出アダプタにＬＥＤを配置して撮像素子を照明する例で説明したが、特開２００２−３７４４４５号公報などのように、カメラの筐体内に撮像素子照明用のＬＥＤを配置するようにしてもよい。
【図面の簡単な説明】
【００４４】
【図１】本実施形態の電子カメラシステムの撮影機構を示す概要図
【図２】本実施形態のカメラ本体のブロック図
【図３】本実施形態における異物検出モードでの動作を示す流れ図
【図４】異物検出モードでのメニュー画面の一表示例を示す図
【図５】撮影レンズを介して被写体を撮影する状態を示す模式図
【図６】（ａ）正面側から撮像素子を見た状態を示す図、（ｂ）受光面の結像の上下左右を反転させない画像を示す図、（ｃ）本実施形態の撮影画像を示す図、（ｄ）本実施形態の反転画像を示す図
【図７】異物の強調処理および第２表示の付加を行った反転画像の表示例を示す図
【符号の説明】
【００４５】
１１…カメラ本体、１２…レンズユニット、１３…異物検出アダプタ、１４…筐体、１７…撮像素子、１８…本体側マウント、２４…撮影レンズ、２８…アダプタ本体、２９…ＬＥＤ、３３…内部メモリ、３４…画像処理部、３５…カードＩ／Ｆ、３６…通信Ｉ／Ｆ、３７…モニタ、３９…ＣＰＵ、４１…記録媒体
【図１】
2007135060.tif 000003
【図２】
2007135060.tif 000004
【図３】
2007135060.tif 000005
【図４】
2007135060.tif 000006
【図５】
2007135060.tif 000007
【図６】
2007135060.tif 000008
【図７】
2007135060.tif 000009